(57)【要約】【課題】年代別の肌の感触がリアルに再現された肌見本を備えた販売促進用表示具およびその製法を提供する。【解決手段】肌の状態についての説明に用いられる販売促進用表示具であって、多孔質弾性体からなる下層と合成皮革からなる表面層を備えた肌見本１７〜２１が、年代別に複数個並べられており、各肌見本１７〜２１は、年代が上がるほど、上記多孔質弾性体の平均密度が低くなるよう設定されている。【選択図】図１
2004117851.tif 000002
【特許請求の範囲】
【請求項１】
肌の状態についての説明に用いられる販売促進用表示具であって、多孔質弾性体からなる下層と合成皮革からなる表面層を備えた肌見本が、年代別に複数個並べられており、各肌見本は、年代が上がるほど、上記多孔質弾性体の平均密度が低くなるよう設定されていることを特徴とする販売促進用表示具。
【請求項２】
若年用の肌見本として、多孔質弾性体の上下層が高密度スキン層で形成され中間層が多孔質弾性体本来の多孔質層で形成されている肌見本が設けられ、中間の年代用の肌見本として、多孔質弾性体の表面層のみ高密度スキン層で形成され他の部分が多孔質弾性体本体の多孔質層で形成されている肌見本が設けられ、年配用の肌見本として、全体が多孔質弾性体本来の多孔質層で形成されている肌見本が設けられている請求項１記載の販売促進用表示具。
【請求項３】
上記若年用の肌見本として、年代が上がるほど、上下の高密度スキン層の厚みが薄くなるよう設定された複数種類の肌見本が設けられている請求項２記載の販売促進用表示具。
【請求項４】
上記中間の年代用の肌見本として、年代が上がるほど、上部の高密度スキン層の厚みが薄くなるよう設定された複数種類の肌見本が設けられている請求項２または３記載の販売促進用表示具。
【請求項５】
請求項２記載の販売促進用表示具の製法であって、厚みが、Ｈ，Ｈ＋α，Ｈ＋β（ただし、α＜β）の３種類の多孔質弾性体Ａ〜Ｃを用意し、厚みＨ＋βの多孔質弾性体Ａを、上下方向から熱プレスすることにより、上下の所定厚み部分が高密度スキン層に形成され中間部が孔質弾性体本来の多孔質層のままである厚みＨの圧縮多孔質弾性体Ａ′を得る工程と、厚みＨ＋αの多孔質弾性体Ｂを、上方からのみ熱プレスすることにより、上部の所定厚み部分が高密度スキン層に形成されその下の部分が多孔質弾性体本来の多孔質層のままである厚みＨの圧縮多孔質弾性体Ｂ′を得る工程と、上記圧縮多孔質弾性体Ａ′、Ｂ′および未圧縮多孔質弾性体Ｃの各上面に、それぞれ合成皮革を接合することにより３種類の肌見本を作製する工程と、上記圧縮多孔質弾性体Ａ′と合成皮革を接合してなる肌見本を、若年用の肌見本として表示し、上記圧縮多孔質弾性体Ｂ′と合成皮革を接合してなる肌見本を、中間の年代用の肌見本として表示し、上記未圧縮多孔質弾性体Ｃと合成皮革を接合してなる肌見本を、年配用の肌見本として表示するようにしたことを特徴とする販売促進用表示具の製法。
【請求項６】
多孔質弾性体Ａとして、厚みの異なるものを複数種類用意し、上下方向からの熱プレス条件を変えることにより、上下に形成される高密度スキン層の厚みの異なる、複数種類の圧縮多孔質弾性体Ａ′を得る工程を設け、上下の高密度スキン層の厚みが薄いものほど、年代が上の肌見本として表示するようにした請求項５記載の販売促進用表示具の製法。
【請求項７】
多孔質弾性体Ｂとして、厚みの異なるものを複数種類用意し、上方向からの熱プレス条件を変えることにより、上部に形成される高密度スキン層の厚みの異なる、複数種類の圧縮多孔質弾性体Ｂ′を得る工程を設け、上記高密度スキン層の厚みが薄いものほど、年代が上の肌見本として表示するようにした請求項５または６記載の販売促進用表示具の製法。
【発明の詳細な説明】
【０００１】
【発明の属する技術分野】
本発明は、化粧品等の販売促進に用いられる販売促進用表示具およびその製法に関するものである。
【０００２】
【従来の技術】
従来から、化粧品販売では、専門の販売員が、店頭あるいは訪問販売先で、化粧品メーカーから配布された化粧品販売促進用のシートにもとづいて、顧客に化粧品の売り込みを行っている。上記販売促進用シートは、通常、長方形の厚紙もしくは薄いプラスチック板からなるシートの表面に、化粧品の種類やその使用方法、肌の状態の模式図等を印刷したもので、販売員は、このシートを顧客に提示しながら、顧客に対するカウンセリングやアドバイス、具体的な化粧品の推奨等を行っている。
【０００３】
しかしながら、上記販売促進用シートは、あくまでも印刷物であるため、そこに印刷された写真や模式図等をいかに駆使して説明しても、顧客へのインパクトが弱く、従来から販売員が説明に苦労する場合があった。
【０００４】
そこで、よりインパクトを高めた販売促進用シートとして、肌の感触を再現した軟質シート片を備えたもの等が提案されている（例えば、特許文献１参照）。
【０００５】
【特許文献１】
特開平１０−１４９１０５号公報
【０００６】
【発明が解決しようとする課題】
このものは、上記軟質シート表面を肌に見立てて、その表面に化粧を付したりクレンジングで洗浄したりすることによって、化粧落としの効果を、顧客に印象的に説明することができる。
【０００７】
一方、最近、「肌年齢」という考え方が重視されるようになっており、加齢とともに変化する肌をできるだけ若い状態で維持するのに効果のある基礎化粧品や肌のマッサージ方法が提案されている。
【０００８】
そこで、年とともに衰える肌の感触が忠実に再現された肌見本を備えた販売促進用シートがあれば、顧客に、肌の衰えを実感させることができ、訴求効果か高いと思われるが、年代別に微妙に異なる肌の感触を再現することは容易ではなく、そのようなものは実用化されていないのが実情である。
【０００９】
本発明は、このような事情に鑑みなされたもので、年代別の肌の感触がリアルに再現された肌見本を備えた販売促進用表示具およびその製法の提供をその目的とする。
【００１０】
【課題を解決するための手段】
上記の目的を達成するため、本発明は、肌の状態についての説明に用いられる販売促進用表示具であって、多孔質弾性体からなる下層と合成皮革からなる表面層を備えた肌見本が、年代別に複数個並べられており、各肌見本は、年代が上がるほど、上記多孔質弾性体の平均密度が低くなるよう設定されている販売促進用表示具を第１の要旨とする。
【００１１】
また、本発明は、上記販売促進用表示具のなかでも、特に、若年用の肌見本として、多孔質弾性体の上下層が高密度スキン層で形成され中間層が多孔質弾性体本来の多孔質層で形成されている肌見本が設けられ、中間の年代用の肌見本として、多孔質弾性体の表面層のみ高密度スキン層で形成され他の部分が多孔質弾性体本体の多孔質層で形成されている肌見本が設けられ、年配用の肌見本として、全体が多孔質弾性体本来の多孔質層で形成されている肌見本が設けられている販売促進用表示具を第２の要旨とする。
【００１２】
そして、本発明は、それらのなかでも、特に、上記若年用の肌見本として、年代が上がるほど、上下の高密度スキン層の厚みが薄くなるよう設定された複数種類の肌見本が設けられている販売促進用表示具を第３の要旨とし、上記中間の年代用の肌見本として、年代が上がるほど、上部の高密度スキン層の厚みが薄くなるよう設定された複数種類の肌見本が設けられている販売促進用表示具を第４の要旨とする。
【００１３】
また、本発明は、上記第２の要旨である販売促進用表示具の製法であって、厚みが、Ｈ，Ｈ＋α，Ｈ＋β（ただし、α＜β）の３種類の多孔質弾性体Ａ〜Ｃを用意し、厚みＨ＋βの多孔質弾性体Ａを、上下方向から熱プレスすることにより、上下の所定厚み部分が高密度スキン層に形成され中間部が孔質弾性体本来の多孔質層のままである厚みＨの圧縮多孔質弾性体Ａ′を得る工程と、厚みＨ＋αの多孔質弾性体Ｂを、上方からのみ熱プレスすることにより、上部の所定厚み部分が高密度スキン層に形成されその下の部分が多孔質弾性体本来の多孔質層のままである厚みＨの圧縮多孔質弾性体Ｂ′を得る工程と、上記圧縮多孔質弾性体Ａ′、Ｂ′および未圧縮多孔質弾性体Ｃの各上面に、それぞれ合成皮革を接合することにより３種類の肌見本を作製する工程と、上記圧縮多孔質弾性体Ａ′と合成皮革を接合してなる肌見本を、若年用の肌見本として表示し、上記圧縮多孔質弾性体Ｂ′と合成皮革を接合してなる肌見本を、中間の年代用の肌見本として表示し、上記未圧縮多孔質弾性体Ｃと合成皮革を接合してなる肌見本を、年配用の肌見本として表示するようにした販売促進用表示具の製法を第５の要旨とする。
【００１４】
そして、本発明は、上記販売促進用表示具の製法のなかでも、特に、多孔質弾性体Ａとして、厚みの異なるものを複数種類用意し、上下方向からの熱プレス条件を変えることにより、上下に形成される高密度スキン層の厚みの異なる、複数種類の圧縮多孔質弾性体Ａ′を得る工程を設け、上下の高密度スキン層の厚みが薄いものほど、年代が上の肌見本として表示するようにした販売促進用表示具の製法を第６の要旨とし、多孔質弾性体Ｂとして、厚みの異なるものを複数種類用意し、上方向からの熱プレス条件を変えることにより、上部に形成される高密度スキン層の厚みの異なる、複数種類の圧縮多孔質弾性体Ｂ′を得る工程を設け、上記高密度スキン層の厚みが薄いものほど、年代が上の肌見本として表示するようにした販売促進用表示具の製法を第７の要旨とする。
【００１５】
【発明の実施の形態】
つぎに、本発明の実施の形態について説明する。
【００１６】
図１は、本発明の販売促進用表示具の一実施の形態を示している。この販売促進用表示具は、長方形状の厚紙を三つ折りすることにより、ベース部１と、立ち上がり部２と、カバー部３とを備えた冊子形状になっている。そして、上記カバー部３の表面には、「＜皮フの弾力イメージモデルツール＞」という見出し４が表示されている。また、上記カバー部３とベース部１の、互いに対峙する内側面３ａ，１ａの左側には、図２に示すように、両方の面３ａ，１ａをつなぐリボンテープ５が設けられており、カバー部３が完全に後ろに倒れてしまわないようになっている。
【００１７】
上記カバー部３を開くと、図３に示すように、その内側面３ａの上部に、「＜皮フ断面図＞」という見出し６が表示されており、その下の左側には、「美しい皮フ」という小見出し７とともに、弾力のある美しい肌の模式的な皮膚断面図８が表示されている。また、その右側には、「おとろえがちな皮フ」という小見出し９とともに、弾力が低下して衰えた肌の模式的な皮膚断面図１０が表示されている。なお、１１は、リボンテープ５の一端をカバー部３に固定する止め金具である。また、鎖線Ｘ，Ｙは、立ち上がり部２との境界線となる谷折り線である。
【００１８】
また、上記カバー部３の内側面３ａと一続きになっているベース部１の内側面１ａには、図４に示すように、上段に、２０代、３０代、４０代、５０代、６０代の５つの年代の、典型的な肌の状態（頬の部分）を示すカラー写真１２〜１６が横一列に並べて表示されており、各カラー写真１２〜１６の下に、その年代の典型的な肌の感触を備えた肌見本１７〜２１が、それぞれ貼着されている。そして、その下に、「ひとさし指と中指で、上から押さえるようにふれてください。」という説明文が表示されている。なお、２３は、リボンテープ５の一端をベース部１に固定する止め金具である。
【００１９】
上記５種類の肌見本１７〜２１は、多孔質弾性体からなる下層と、合成皮革からなる表面層の２層を積層一体化したもので、下層である多孔質弾性体として、それぞれ圧縮特性の異なるものを用いることにより、合成皮革の表面を指で押圧したときの感触が、各年代層の肌の感触に略等しくなるよう設定されている。
【００２０】
より詳しく説明すると、まず、２０代の肌見本１７は、図５（ａ）に示すように、厚み０．５ｍｍの合成皮革（東レコーテックス社製、ドミーシートＡ−１、以下同じ）からなる表面層１７ａと、厚み１０ｍｍのウレタン発泡体からなる下層１７ｂとが、ホットメルト接着剤（図示せず）を介して積層一体化された構造になっている。
【００２１】
上記下層１７ｂのウレタン発泡体は、厚み２２ｍｍのウレタン発泡体（ブリジストン化成品大阪社製、ＨＦ、以下同じ）に対し、上下方向から熱プレス（１９０℃）をかけて、厚み１０ｍｍに圧縮したもので、上下の厚み３ｍｍの部分が、それぞれ高密度スキン層３０に形成され、中間の厚み４ｍｍの部分が、本来のウレタン発泡体のままの発泡層３１に形成されている。これにより、下層１７ｂ全体の平均密度は、０．０６８ｇ／ｃｍ３　となり、上下の高密度スキン層３０と中間の発泡層３１とのバランスにより、表面層１７ａの表面を押圧したときの感触が、２０代の弾力ある肌に極めて近いものとなっている。
【００２２】
また、３０代の肌見本１８も、図５（ｂ）に示すように、上記肌見本１７と同様、厚み０．５ｍｍの合成皮革からなる表面層１８ａと、厚み１０ｍｍのウレタン発泡体からなる下層１８ｂとが積層一体化された構造になっているが、上記下層１８ｂは、厚み１８ｍｍのウレタン発泡体に対し、上下方向に熱プレス（１９０℃）をかけて、厚み１０ｍｍに圧縮したものである。このため、上下の厚み２ｍｍの部分が、それぞれ高密度スキン層３０に形成され、中間の厚み６ｍｍの部分が、本来のウレタン発泡体のままの発泡層３１に形成されている。これにより、下層１８ｂ全体の平均密度は、０．０５６ｇ／ｃｍ３　となり、上下の高密度スキン層３０と中間の発泡層３１とのバランスにより、表面層１８ａの表面を押圧したときの感触が、３０代の、やや弾力が低下した肌に極めて近いものとなっている。
【００２３】
さらに、４０代の肌見本１９も、図５（ｃ）に示すように、上記肌見本１７，１８と同様、厚み０．５ｍｍの合成皮革からなる表面層１９ａと、厚み１０ｍｍのウレタン発泡体からなる下層１９ｂとが積層一体化された構造になっているが、上記下層１９ｂは、厚み１６．５ｍｍのウレタン発泡体に対し、上下方向に熱プレス（１９０℃）をかけて、厚み１０ｍｍに圧縮したものである。このため、上下の厚み１．５ｍｍの部分が、それぞれ高密度スキン層３０に形成され、中間の厚み７ｍｍの部分が、本来のウレタン発泡体のままの発泡層３１に形成されている。これにより、下層１９ｂ全体の平均密度は、０．０５１ｇ／ｃｍ３　となり、上下の高密度スキン層３０と中間の発泡層３１とのバランスにより、表面層１９ａの表面を押圧したときの感触が、４０代の、さらに弾力が低下した肌に極めて近いものとなっている。
【００２４】
そして、５０代の肌見本２０も、図５（ｄ）に示すように、上記肌見本１７〜１９と同様、厚み０．５ｍｍの合成皮革からなる表面層２０ａと、厚み１０ｍｍのウレタン発泡体からなる下層２０ｂとが積層一体化された構造になっているが、上記下層２０ｂは、厚み１３．５ｍｍのウレタン発泡体に対し、上方向のみから熱プレス（１９０℃）をかけて、厚み１０ｍｍに圧縮したものである。このため、上部の厚み２ｍｍの部分が高密度スキン層３０に形成され、それ以外の部分（厚み８ｍｍ）が、本来のウレタン発泡体のままの発泡層３１に形成されている。これにより、下層２０ｂ全体の平均密度は、０．０４２ｇ／ｃｍ３　となり、高密度スキン層３０と中間の発泡層３１とのバランスにより、表面層２０ａの表面を押圧したときの感触が、５０代の、かなり弾力が低下した肌に極めて近いものとなっている。
【００２５】
また、６０代の肌見本２１も、図５（ｅ）に示すように、上記肌見本１７〜２０と同様、厚み０．５ｍｍの合成皮革からなる表面層２１ａと、厚み１０ｍｍのウレタン発泡体からなる下層２１ｂとが積層一体化された構造になっているが、上記下層２１ｂは、厚み１０ｍｍのウレタン発泡体を、熱プレスをかけることなく、そのまま用いている。このため、下層２１ｂ全体が発泡層３１で形成されており、その平均密度は、０．０３１ｇ／ｃｍ３　となり、表面層２１ａの表面を押圧したときの感触が、６０代の、さらに弾力が低下して衰えた肌に極めて近いものとなっている。
【００２６】
したがって、化粧品販売員が、店頭もしくは訪問販売先において、加齢による肌の衰えを顧客に説明する場合に、上記販売促進用表示具の肌見本１７〜２１を、顧客に順次触らせるだけで、肌の弾力がどのように変化していくかを顧客に実感させることができ、訴求効果が高い。
【００２７】
なお、上記の例では年代を、２０代、３０代、４０代、５０代、６０代の５種類に区分して、それぞれに対応する肌見本１７〜２１を設けたが、年代の区分方法や、用意する肌見本の数は、特に限定するものではない。ただし、本発明の販売促進用表示具は、肌の衰えを顧客に実感させるためのものであり、少なくとも若年用、中間（中年）用、年配用の３種類を用意することが好適である。なお、どの年代を「若年」といい、どの年代を「年配」というかについては、相対的なものであり、特定の年代を指定するものではない。
【００２８】
また、上記の例では、５つの肌見本１７〜２１の表面層１７ａ〜２１ａとして、同一の合成皮革を用いたが、若年用の肌見本１７には、表面のきめの細かい合成皮革を用い、年代が上がるほど、表面のきめがより粗い合成皮革を用いて、よりリアルな手触りとなるようにしてもよい。そして、合成皮革の厚みは、特に限定するものではないが、通常、０．２〜１．０ｍｍ、なかでも０．４〜０．６ｍｍに設定することが、肌の感触を再現する上で好適である。
【００２９】
さらに、上記の例では、肌見本１７〜２１の下層１７ｂ〜２１ｂとして、ウレタン発泡体を用いたが、材質は、これに限定されるものではなく、多孔質弾性体であれば、どのようなものであっても差し支えない。例えば、ウレタン発泡体以外に、スチレン発泡体、シリコーン発泡体、ポリエチレン発泡体等を用いることができる。なかでも、上記ウレタン発泡体が好適である。
【００３０】
そして、上記の例では、肌見本１７〜２１の弾力性に差異をつけるために、材料であるウレタン発泡体の上下部もしくは上部に、熱プレスにより高密度スキン層を形成して、その部分の密度を高めるようにしているが、どの程度の弾力をつけるかは、上記高密度スキン層の厚みによって調整することが好適である。高密度スキン層の厚みが厚ければ厚いほど、ウレタン発泡体からなる下層１７ｂ〜２１ｂの平均密度が高くなり、弾力の強い、張りのある肌となる。
【００３１】
もちろん、高密度スキン層を形成するのではなく、多孔質弾性体全体の発泡倍率等を調整することにより弾力の程度を変えるようにしてもよいが、上下部もしくは上部に高密度スキン層を設け、残部に多孔質弾性体本来の多孔質層を残した構成にする方が、実際の肌の感触により近いものとなり、好適である。
【００３２】
なお、各肌見本１７〜２１における多孔質弾性体の平均密度は、０．０７５〜０．０２５ｇ／ｃｍ３　の間で、段階的に設定することが好適である。すなわち、平均密度が０．０７５ｇ／ｃｍ３　より高くなると、肌としては感触が硬くなりすぎるおそれがあり、逆に、平均密度が０．０２５ｇ／ｃｍ３　より低くなると、あまりにも弾力がなく、年配の肌としても適さなくなるおそれがあるからである。
【００３３】
そして、上記の例では、多孔質弾性体からなる下層１７ｂ〜２１ｂと、合成皮革からなる表面層１７ａ〜２１ａとが、ホットメルト接着剤により接合一体化された構造になっているが、接着剤の種類は、特に限定するものではない。また、接着剤を用いず、多孔質弾性体の表面を軽く熱溶融させ、合成皮革と直接接合するようにしてもよい。
【００３４】
さらに、本発明の販売促進用表示具は、上記の例のように、厚紙からなる折り畳み冊子の構成に限らず、１枚のシートタイプのものであっても、壁面にかけるパネルタイプのものであってもよい。また、化粧品陳列棚の棚板等に直接、肌見本１７〜２１を並べて表示するようにしてもよい。
【００３５】
そして、上記の例では、肌見本１７〜２１を並べたベース部１を覆うカバー部３（図１参照）の内側面に、図３に示すように、美しい皮膚と衰えた皮膚の２種類の模式的な皮膚断面図８，１０を表示したが、表示内容は、加齢に伴う肌の変化を顧客に認識させるものであれば、どのようなものでもよい。もちろん、このような表示部を設けることは任意である。
【００３６】
【発明の効果】
以上のように、本発明の販売促進用表示具は、年代別の肌の感触がリアルに再現された特殊な肌見本を備えているため、化粧品販売員が、店頭もしくは訪問販売先において、加齢による肌の衰えを顧客に説明する場合に、上記販売促進用表示具の肌見本を、顧客に順次触らせるだけで、肌の弾力がどのように変化していくかを顧客に実感させることができ、訴求効果が高い。
【００３７】
また、本発明の販売促進用表示具の製法によれば、上記販売促進用表示具のなかでも、特に、肌の感触が実際に近いものを、簡単な方法で安価に提供することができる。
【図面の簡単な説明】
【図１】本発明の一実施例を示す斜視図である。
【図２】上記実施例の左側面図である。
【図３】上記実施例の部分的な説明図である。
【図４】上記実施例の部分的な説明図である。
【図５】（ａ）〜（ｅ）は、いずれも上記実施例の使用態様の説明図である。
【符号の説明】
１７〜２１　肌見本
【図１】
2004117851.tif 000003
【図２】
2004117851.tif 000004
【図３】
2004117851.tif 000005
【図４】
2004117851.tif 000006
【図５】
2004117851.tif 000007